(57)【要約】【課題】押し操作時に操作つまみが回動しない燃料供給装置及びガスコンロを提供する。【解決手段】燃料供給装置２０は、ニードル弁２８の手前側の端部に設け手前方向に対して垂直且つ下方向に少なくとも延設されたピン２９が挿入され、手前側から奥方向に螺旋状に傾斜しているカム溝２７を有し、回動した際に、ニードル弁２８を手前方向及び奥方向に進退させる火力調節カム２６と、操作つまみ１４が押し込み操作された際に、押し込み操作による押し力を軸心回りの回動力に変換する第二傾斜カムを有し、火力調節カム２６に連動するニードル弁２８が所定の点火流量の位置となるように進退させるカム部と、操作つまみ１４が操作位置にある状態で、火力調節カム２６と操作つまみ１４を連結し、操作つまみ１４が操作位置から奥方向に進行した状態で、火力調節カム２６と操作つまみ１４との連結を解除させる連結部と、を備える。【選択図】図３
2019044988.tif 000002
【特許請求の範囲】
【請求項１】
手前方向及び前記手前方向とは反対方向の奥方向に進退自由、且つ進退方向回りに回動自在な操作つまみが前記手前方向の側に連結されているプッシュ・プッシュ機構と、
前記プッシュ・プッシュ機構の前記奥方向の側に配設され、前記プッシュ・プッシュ機構の動きに連動して燃料流路を遮断又は解放するガス供給部と、
前記操作つまみの前記奥方向に沿って延び、且つ前記奥方向に沿って進退するニードル弁を備え、前記ニードル弁の進退に応じてガス供給量を調整する燃料調整部と、
を備え、
前記プッシュ・プッシュ機構は、
前記操作つまみがバーナの消火位置にある状態で前記操作つまみを押し込み操作することで、前記燃料流路を解放させ、前記燃料流路の解放を維持した状態で、前記操作つまみを前記消火位置よりも前記手前方向の操作位置に突出させ、且つ、前記操作つまみを前記操作位置から押し込み操作することで、前記燃料流路を遮断させ、前記操作つまみを前記消火位置に後退させる、
ように構成されている燃料供給装置であって、
前記ニードル弁の手前側の端部に設け前記手前方向に対して垂直且つ下方向に少なくとも延設されたピンが挿入され、前記手前側から前記奥方向に螺旋状に傾斜している傾斜カム溝を有し、回動した際に、前記ニードル弁を前記手前方向及び前記奥方向に進退させる第一カム部と、
前記操作つまみが押し込み操作された際に、押し込み操作による押し力を前記操作つまみの押し込み方向回りの回動力に変換するカム部材を有し、前記第一カム部に連動する前記ニードル弁が所定の点火流量の位置となるように進退させる第二カム部と、
前記操作つまみが前記操作位置にある状態で、前記第一カム部と前記操作つまみを連結し、前記操作つまみが前記操作位置から前記奥方向に進行した状態で、前記第一カム部と前記操作つまみとの連結を解除させる連結部と、
を備えることを特徴とする燃料供給装置。
【請求項２】
前記操作つまみは、前記奥方向に延設され、奥側の端部で前記プッシュ・プッシュ機構と連結する軸部を備え、
前記第一カム部は、前記手前方向に延設され、且つ前記手前方向の端部に、前記操作つまみの前記軸部の外周に沿って位置する舌片を備え、
前記舌片は、前記軸部の外周側の前記手前方向の端部に前記手前方向から前記奥方向に延設された舌片側歯部を備え、
前記軸部は、前記軸部の前記奥方向の外周面の全周に前記手前方向から前記奥方向に延設された複数の軸部側歯部を備え、
前記連結部は、前記操作つまみが前記消火位置にある場合には、前記軸部側歯部が、前記舌片側歯部よりも前記奥方向に位置することで、前記第一カム部と前記操作つまみとの連結を解除し、
前記操作つまみが、前記操作位置に移動する過程で、前記軸部側歯部は前記舌片側歯部と重なる位置に前記手前方向に進行し、隣接する前記軸部側歯部との間に前記舌片側歯部が噛合することで、前記第一カム部と前記操作つまみを連結する、
ことを特徴とする請求項１に記載の燃料供給装置。
【請求項３】
前記舌片は、三つの前記舌片側歯部を備える、
ことを特徴とする請求項２に記載の燃料供給装置。
【請求項４】
三つの前記舌片側歯部の何れか一つの前記舌片側歯部の手前・奥方向の長さが他の前記舌片側歯部より長いことを特徴とする請求項３に記載の燃料供給装置。
【請求項５】
各軸部側歯部は、前記手前方向に向かうにつれて、先細りになるテーパ形状に形成されていることを特徴とする請求項２乃至４の何れか一に記載の燃料供給装置。
【請求項６】
各舌片側歯部は、前記奥方向に向かうにつれて、先細りになるテーパ形状に形成されていることを特徴とする請求項２乃至５の何れか一に記載の燃料供給装置。
【請求項７】
各軸部側歯部は、前記手前方向に対して直交する方向且つ前記軸部から離れる方向に向かうにつれ先細りの形状に形成され、且つ各軸部側歯部の前記手前方向の部分は、前記手前方向に向かうにつれ高さが低くなることを特徴とする請求項２乃至６の何れか一に記載の燃料供給装置。
【請求項８】
各舌片側歯部は、前記手前方向に対して直交する方向且つ前記軸部の方向に向かうにつれ先細りの形状に形成され、且つ各軸部側歯部の前記手前方向の部分は、前記奥方向に向かうにつれ高さが低くなることを特徴とする請求項２乃至７の何れか一に記載の燃料供給装置。
【請求項９】
前記操作つまみと進退し、非回動である筒部材を更に備え、
前記筒部材は、少なくとも前記軸部側歯部を覆うように設けられており、前記筒部材と前記軸部側歯部との間に、前記舌片が前記軸部の外側に重なる状態で挿入されていることを特徴とする請求項２乃至８の何れか一に記載の燃料供給装置。
【請求項１０】
請求項１乃至９の何れか一に記載の燃料供給装置を備えることを特徴とするガスコンロ。
【発明の詳細な説明】
【技術分野】
【０００１】
本発明は燃料供給装置及びガスコンロに関する。
【背景技術】
【０００２】
ガスコンロは、コンロバーナにガスを供給する燃料供給装置を備える。特許文献１が開示する燃料供給装置は、ガスの供給量を調節する燃料調節弁を備える。燃料供給装置は、燃料調節弁の弁本体に装着した連係ピンの下端部が係合する、螺旋状の溝を有する弁操作用回動体を備える。燃料供給装置は、火力調節用の回動体を備え、回動体は操作軸心回りに弁操作用回動体と一体的に回動する。回動体は、中火復帰する為の傾斜カムを有しており、操作具の押し操作時に、傾斜カムは、カム操作用突起に当接することで回動体を操作軸心回りに回動させる。この時、弁操作用回動体は回動体と一体的に回動することで、ガスの供給量が調節される。
【０００３】
また、燃料供給装置は、ガスの供給量を調整する為の操作具（操作つまみ）を有する。燃料供給装置は、操作具を操作軸心回りに回動させることで、燃料調節弁を回動させ、ガスの供給量を調節可能である。操作具は、操作具を回動操作する際に把持する筒状体と、押し操作する際に押圧する端面部を有する。筒状体は、操作軸心に対し回動自在に構成されているのに対し、端面部は押し操作時に非回動状態に維持されるように構成されている。
【先行技術文献】
【特許文献】
【０００４】
【特許文献１】特開２０１７−３１６４号公報
【発明の概要】
【発明が解決しようとする課題】
【０００５】
しかしながら、端面部は押し操作時に非回動状態に維持されるように構成されているとはいえ、筒状体と端面部は接している為、筒状体の回動力が端面部に伝わり、操作者に違和感を与えてしまう問題があった。
【０００６】
本発明の目的は、押し操作時に操作つまみが回動しない燃料供給装置及びガスコンロを提供することである。
【課題を解決するための手段】
【０００７】
請求項１に係る燃料供給装置は、手前方向及び前記手前方向とは反対方向の奥方向に進退自由、且つ進退方向回りに回動自在な操作つまみが前記手前方向の側に連結されているプッシュ・プッシュ機構と、前記プッシュ・プッシュ機構の前記奥方向の側に配設され、前記プッシュ・プッシュ機構の動きに連動して燃料流路を遮断又は解放するガス供給部と、前記操作つまみの前記奥方向に沿って延び、且つ前記奥方向に沿って進退するニードル弁を備え、前記ニードル弁の進退に応じてガス供給量を調整する燃料調整部と、を備え、前記プッシュ・プッシュ機構は、前記操作つまみがバーナの消火位置にある状態で前記操作つまみを押し込み操作することで、前記燃料流路を解放させ、前記燃料流路の解放を維持した状態で、前記操作つまみを前記消火位置よりも前記手前方向の操作位置に突出させ、且つ、前記操作つまみを前記操作位置から押し込み操作することで、前記燃料流路を遮断させ、前記操作つまみを前記消火位置に後退させる、ように構成されている燃料供給装置であって、前記ニードル弁の手前側の端部に設け前記手前方向に対して垂直且つ下方向に少なくとも延設されたピンが挿入され、前記手前側から前記奥方向に螺旋状に傾斜している傾斜カム溝を有し、回動した際に、前記ニードル弁を前記手前方向及び前記奥方向に進退させる第一カム部と、前記操作つまみが押し込み操作された際に、押し込み操作による押し力を前記操作つまみの押し込み方向回りの回動力に変換するカム部材を有し、前記第一カム部に連動する前記ニードル弁が所定の点火流量の位置となるように進退させる第二カム部と、前記操作つまみが前記操作位置にある状態で、前記第一カム部と前記操作つまみを連結し、前記操作つまみが前記操作位置から前記奥方向に進行した状態で、前記第一カム部と前記操作つまみとの連結を解除させる連結部と、を備えることを特徴とする。
【０００８】
請求項２に係る燃料供給装置は、請求項１に記載の構成に加え、前記操作つまみは、前記奥方向に延設され、奥側の端部で前記プッシュ・プッシュ機構と連結する軸部を備え、前記第一カム部は、前記手前方向に延設され、且つ前記手前方向の端部に、前記操作つまみの前記軸部の外周に沿って位置する舌片を備え、前記舌片は、前記軸部の外周側の前記手前方向の端部に前記手前方向から前記奥方向に延設された舌片側歯部を備え、前記軸部は、前記軸部の前記奥方向の外周面の全周に前記手前方向から前記奥方向に延設された複数の軸部側歯部を備え、前記連結部は、前記操作つまみが前記消火位置にある場合には、前記軸部側歯部が、前記舌片側歯部よりも前記奥方向に位置することで、前記第一カム部と前記操作つまみとの連結を解除し、前記操作つまみが、前記操作位置に移動する過程で、前記軸部側歯部は前記舌片側歯部と重なる位置に前記手前方向に進行し、隣接する前記軸部側歯部との間に前記舌片側歯部が噛合することで、前記第一カム部と前記操作つまみを連結することを特徴とする。
【０００９】
請求項３に係る燃料供給装置は、請求項２に記載の構成に加え、前記舌片は、三つの前記舌片側歯部を備えることを特徴とする。
【００１０】
請求項４に係る燃料供給装置は、請求項３に記載の構成に加え、三つの前記舌片側歯部の何れか一つの前記舌片側歯部の手前・奥方向の長さが他の前記舌片側歯部より長いことを特徴とする。
【００１１】
請求項５に係る燃料供給装置は、請求項２乃至４の何れか一に記載の構成に加え、各軸部側歯部は、前記手前方向の向うにつれて、先細りになるテーパ形状に形成されていることを特徴とする。
【００１２】
請求項６に係る燃料供給装置は、請求項２乃至５の何れか一に記載の構成に加え、各舌片側歯部は、前記奥方向に向かうにつれて、先細りになるテーパ形状に形成されていることを特徴とする。
【００１３】
請求項７に係る燃料供給装置は、請求項２乃至６の何れか一に記載の構成に加え、各軸部側歯部は、前記手前方向に対して直交する方向且つ前記軸部から離れる方向に向うにつれ先細りの形状に形成され、且つ各軸部側歯部の前記手前方向の部分は、前記手前方向に向かうにつれ高さが低くなることを特徴とする。
【００１４】
請求項８に係る燃料供給装置は、請求項２乃至７の何れか一に記載の構成に加え、各舌片側歯部は、前記手前方向に対して直交する方向且つ前記軸部の方向に向かうにつれ先細りの形状に形成され、且つ各軸部側歯部の前記手前方向の部分は、前記奥方向に向かうにつれ高さが低くなることを特徴とする。
【００１５】
請求項９に係る燃料供給装置は、請求項２乃至８の何れか一に記載の構成に加え、前記操作つまみと進退し、非回動である筒部材を更に備え、前記筒部材は、少なくとも前記軸部側歯部を覆うように設けられており、前記筒部材と前記軸部側歯部との間に、前記舌片が前記軸部の外側に重なる状態で挿入されていることを特徴とする。
【００１６】
請求項１０に係るガスコンロは、請求項１乃至９の何れか一に記載の燃料供給装置を備えることを特徴とする。
【発明の効果】
【００１７】
請求項１に係る燃料供給装置によれば、操作つまみが操作位置にある時でのみ、操作つまみの回動に連動して回動しニードル弁を前奥方向に進退させる第一カムと操作つまみを連結する。従って、操作つまみの押し操作に伴い、カム部材が回動しても、カム部材は操作つまみと独立して回動する。故に、操作つまみの押し操作時に、操作つまみが回動することを防止できるので、ユーザに違和感を与えないようにできる。
【００１８】
請求項２に係る燃料供給装置によれば、請求項１に記載の発明の効果に加え、軸部側歯部は、軸部の外周面の全周に渡って複数設けているので、操作つまみがどのような位置に回動していても、操作つまみが操作位置に移動した際に、操作つまみと第一カムを連結することができる。また、操作つまみを押し操作することで、軸部側歯部が第一カムの舌片側歯部より奥方向に退行する。故に、操作つまみと第一カムとの連結を容易に解除することができる。
【００１９】
請求項３に係る燃料供給装置によれば、請求項２に記載の発明の効果に加え、３つの舌片側歯部を有することから、操作つまみが必要以上の力で回動されたとしても、舌片側歯部の破損を防ぐことができる。
【００２０】
請求項４に係る燃料供給装置によれば、請求項３に記載の発明の効果に加え、軸部側歯部と舌片側歯部が互いにぶつかり合った時に、舌片側歯部の一つが他より長いので、左右の何れかの方向に滑り易い。故に、操作つまみを操作位置に突出させることができる。
【００２１】
請求項５に係る燃料供給装置によれば、請求項２乃至４の何れか一に記載の発明の効果に加え、操作つまみが操作位置に移動する際に、軸部側歯部は操作つまみの移動方向に向かうにつれ先細りのテーパ形状をしている。従って、軸部側歯部が舌片側歯部にぶつかり合うのを抑制することができ、確実に操作つまみを操作位置に移動させることができる。
【００２２】
請求項６に係る燃料供給装置によれば、請求項２乃至５の何れか一に記載の発明の効果に加え、操作つまみが操作位置に移動する際に、舌片側歯部は操作つまみの移動方向とは逆方向に向かうにつれ先細りのテーパ形状をしている。従って、軸部側歯部が舌片側歯部にぶつかり合うのを抑制することができ、確実に操作つまみを操作位置に移動させることができる。
【００２３】
請求項７に係る発明の燃料供給装置によれば、請求項２乃至６の何れか一に記載の発明の効果に加え、各軸部側歯部は、手前方向に対して直交する方向且つ軸部から離れるにつれ先細りになり、各軸部側歯部の手前方向の端部は、手前方向に向かうにつれ高さが低くなる。従って、操作位置にある操作つまみに限界以上の回動力を加えても、軸部側歯部が舌片側歯部を乗り越えることができる。故に、側歯部の破損を防ぐことができる。
【００２４】
請求項８に係る燃料供給装置によれば、請求項２乃至７の何れか一に記載の発明の効果に加え、各舌片側歯部は、手前方向に対して直交する方向且つ軸部に向かうにつれ先細りになり、各舌片側歯部の奥方向の端部は、奥方向に向かうにつれ高さが低くなる。従って、操作位置にある操作つまみに限界以上の回動力を加えても、舌片側歯部が軸部側歯部を乗り越えることができる。故に、側歯部の破損をより防ぐことができる。
【００２５】
請求項９に係る燃料供給装置によれば、請求項２乃至８の何れか一に記載の発明の効果に加え、筒部材が舌片と軸部側歯部を外側から覆っている。従って、操作つまみの回動あるいは進退時に、舌片の位置ズレを防ぐことができる。故に、側歯部同士の離接を確実に行うことができる。
【００２６】
請求項１０に係るガスコンロは、請求項１乃至９の何れか一に記載の燃料供給装置が有する効果を奏する。
【００２７】
なお、本発明は、請求項１から９の夫々の発明特定事項を任意に組み合わせてもよい。
【図面の簡単な説明】
【００２８】
【図１】ガスコンロ１の斜視図である。
【図２】燃料供給装置２０の斜視図である。
【図３】操作つまみ２０が操作位置にある場合の燃料供給装置２０の図である。
【図４】断面線ＡＧにおける燃料供給装置２０の断面図である。
【図５】操作つまみ１４が消火位置にある場合を示す図である。
【図６】火力調節カム２６の上面図である。
【図７】火力調節カム２６の裏面図である。
【図８】火力調節カム２６の前面図である。
【図９】火力調節カム２６の側面図である。
【図１０】点火ガイド４０と第一傾斜カム部３７Ａについて説明する為の図である。
【図１１】連結部材２５の斜視図である。
【図１２】カム部３６について説明する為の図である。
【発明を実施するための形態】
【００２９】
以下、本発明の実施形態を説明する。以下に記載される装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００３０】
図１を参照し、ガスコンロ１について説明する。ガスコンロ１は、ビルトインコンロである。ガスコンロ１は筐体２と天板３を備える。筐体２は上部が開口し、開口部分に天板３が設置される。天板３において、右手前には右バーナ４、左手前には左バーナ５、中央奥側には奥バーナ６が設けられる。天板３の後方部には、筐体２内に設置されたグリル装置（図示略）の排気口７が設けられる。
【００３１】
ガスコンロ１の前面の略中央には、グリル扉８が設けられる。グリル扉８は、グリル装置に設けられるグリル庫（図示略）の前側開口部分を開閉する。グリル扉８の右側の領域には、正面視円形状の２つの操作つまみ１１、１２が横方向に並んで設けられる。グリル扉８の左側の領域には、操作つまみ１１、１２と同じ高さ位置に、同一形状の２つの操作つまみ１３、１４が横方向に並んで設けられる。操作つまみ１１〜１４の夫々は、右バーナ４、グリル庫内のグリルバーナ（図示略）、奥バーナ６、左バーナ５の点火、消火及び火力調節を行う為に操作される。操作つまみ１１〜１４は、夫々、燃料供給装置２０（図２参照）の前端部に取り付けられる。
【００３２】
図２を参照し、燃料供給装置２０について説明する。ガスコンロ１は、右バーナ４、左バーナ５、奥バーナ６、及びグリル装置にガスを供給する４つの燃料供給装置を備える。そのうち、右バーナ４、左バーナ５、奥バーナ６にガスを供給する燃料供給装置２０は公知のプッシュ・プッシュ機構２４を備えた同一構成の装置である。また、グリル装置にガスを供給する燃料供給装置（図示略）は、燃料供給装置２０と同様のプッシュ・プッシュ機構を備えるが、ガス流量の調節を電磁弁によって行うため、流量調節部（図示略）を別体に設ける。以下では、左バーナ５にガスを供給する燃料供給装置２０を一例として説明し、右バーナ４、奥バーナ６、グリル装置にガスを供給する燃料供給装置については説明を省略する。なお、右バーナ４にガスを供給する燃料供給装置と、奥バーナ６にガスを供給する燃料供給装置は、燃料供給装置２０と同一構成であるので、便宜上、同一の符号を付して燃料供給装置２０と呼ぶ。
【００３３】
図２に示す様に、燃料供給装置２０は、操作つまみ１４の押し込み操作と回動操作により、左バーナ５の点火と消火、及び左バーナ５に供給するガス量の調節を行う装置である。押し込み操作は、操作つまみ１４の前面を後方へ押圧し、ガスコンロ１の前面よりも奥側に押し込む操作である。回動操作は、操作つまみ１４の側面を把持し、前後方向の軸（軸心ＡＸ）を中心に回動する操作である。燃料供給装置２０は、操作部２１、ガス流路部２２、火力調節カム２６、流量調節部３１等を備える。
【００３４】
操作部２１は操作つまみ１４、プッシュ・プッシュ機構２４、連結部材２５を備える。連結部材２５は後述する。操作つまみ１４は略円柱状に形成される。操作つまみ１４は、ガスコンロ１の後方へ向けて押し込み移動させることにより、消火位置、押込位置、操作位置の各位置に移動する。消火位置は、操作つまみ１４の先端面が、ガスコンロ１の前面とほぼ面一となる位置である。消火位置において、操作つまみ１４の先端面は、ガスコンロ１の前面よりも僅かに後側に位置してもよいし、僅かに前側に位置してもよい。なお、図２に示す燃料供給装置２０は、操作つまみ１４が消火位置に位置する。押込位置は、操作つまみ１４の先端面が、ガスコンロ１の前面よりも後方に押し込まれた位置である。操作つまみ１４は、押込位置にて消火位置よりも後方に位置する。操作位置は、操作つまみ１４の先端面が、ガスコンロ１の前面に対して突出する位置である。操作つまみ１４は、操作位置にて消火位置よりも前方に位置する。操作位置にあるとき、操作つまみ１４は、前後方向に沿う軸心ＡＸを中心に回動可能（回動操作可能）である。
【００３５】
プッシュ・プッシュ機構２４は、操作つまみ１４が前方・後方に進退自在に、且つ軸心ＡＸ回りに回動自在に前方端部に連結されている。プッシュ・プッシュ機構２４は、操作つまみ１４を消火位置、押込位置、操作位置の各位置にて位置決めし、各位置に応じて後述するメイン弁（図示略）を開放状態又は閉鎖状態に維持する。プッシュ・プッシュ機構２４の内部には、操作つまみ１４の押し込み操作に合わせて前後方向に移動するスライダ（図示略）と、スライダを前方へ向けて付勢するバネと、メイン弁を駆動する弁駆動部（図示略）が設けられる。スライダには公知のカム機構（図示略）が設けられる。スライダは、操作つまみ１４が押し込み操作される度に、操作つまみ１４を消火位置から押込位置を経て操作位置に移動する動作と、操作位置から押込位置を経て消火位置移動する動作とを繰り返す。弁駆動部は、操作つまみ１４が消火位置から操作位置に移動する動作に連動してメイン弁を開放し、且つ開放状態に維持する動作を行い、操作つまみ１４が操作位置から消火位置に移動する動作に連動してメイン弁を閉鎖し、且つ閉鎖状態に維持する動作を行う。なお、上述のプッシュ・プッシュ機構２４の説明は、既存のプッシュ・プッシュ機構２４の一例の簡略的な説明であり、他のプッシュ・プッシュ機構２４を適用しても良い。
【００３６】
ガス流路部２２は、プッシュ・プッシュ機構２４の後側に連結される。ガス流路部２２の内部には第一ガス通路（図示略）が形成される。第一ガス通路は、下部に開口する導入口２３に接続するガス供給管（図示略）から供給されるガスを、流量調節部３１に流通する。第一ガス通路には安全弁（図示略）とメイン弁（図示略）が設けられる。安全弁は、第一ガス通路を閉じる閉状態に弾性付勢された電磁操作式の弁である。メイン弁は、操作つまみ１４の押し込み操作に応じて第一ガス通路の開閉を行う弁である。なお、メイン弁と安全弁は何れも周知のものであるので、動作の詳細な説明は省略する。
【００３７】
流量調節部３１は、プッシュ・プッシュ機構２４とガス流路部２２の上部に設けられる。流量調節部３１の内部には第二ガス通路（図示略）が形成される。第二ガス通路は、ガス流路部２２から供給されるガスを流通し、上部に開口する流出口３２に接続されるガス供給管（図示略）を介して左バーナ５に供給する。流量調節部３１の前端部には第二ガス通路に連通する穴部３０が形成され、ニードル弁２８が挿入される。ニードル弁２８は、前端部側が穴部３０から外部に露出され、後端部側が第二ガス通路内にて前後方向に移動可能に配置される。ニードル弁２８の前端部には、上下方向に延びるピン２９が設けられる。ピン２９の下端部は、火力調節カム２６のカム溝２７（後述）に係合する。
【００３８】
火力調節カム２６は、略半円筒状に形成され、プッシュ・プッシュ機構２４の前端側上部を覆うようにして、軸心ＡＸの回りを回動可能に設けられている。火力調節カム２６は、前後方向への移動が規制される。火力調節カム２６の外周部には、カム溝２７が設けられる。カム溝２７は、軸心ＡＸを中心とする螺旋状に形成される。カム溝２７にはニードル弁２８に設けられたピン２９の下端部が係合する。火力調節カム２６が回動すると、カム溝２７がピン２９を案内し、ニードル弁２８を前後方向に移動する。
【００３９】
火力調節カム２６は、前方に延びる延伸部３７を備え、延伸部３７の前端部分に内向きに突出する側歯部３５を有する。延伸部３７については、更に後述する。側歯部３５は、図３と図４に示す様に、操作つまみ１４が操作位置にあるときに連結部材２５の側歯部３８（後述）に噛合し、連結部材２５を介して火力調節カム２６を操作つまみ１４と共に軸心ＡＸを中心に回動する。
【００４０】
操作部２１の連結部材２５は、プッシュ・プッシュ機構２４のスライダから前方に延び、軸心ＡＸを軸とする軸体（図示略）に係合する。連結部材２５は、前端部にて操作つまみ１４を一体に固定し、操作つまみ１４と共に軸心ＡＸを中心に回動可能に設けられる。連結部材２５は、後端部外周面に、火力調節カム２６の側歯部３５（図５参照）に噛合する側歯部３８を有する。操作つまみ１４が操作位置にあるとき、図３と４に示す様に、連結部材２５の側歯部３８は火力調節カム２６の側歯部３５と噛合し、操作つまみ１４と火力調節カム２６を連結する。操作つまみ１４が操作位置にない場合には、火力調節カム２６の側歯部３５は、図５に示す様に（図５の例は操作つまみ１４が消火位置にある場合）、連結部材２５の側歯部３８の前方に位置して噛合せず、操作つまみ１４と火力調節カム２６の連結状態を解除する。より具体的には、操作つまみ１４が例えば消火位置にある時は、側歯部３８は側歯部３５の後側に位置する。一方、操作つまみ１４が操作位置に突出することに伴い、側歯部３８が操作つまみ１４と連動して操作つまみ１４の突出方向に移動して、側歯部３５の間に入り込み。そして、操作つまみ１４が、操作位置まで突出した時に、側歯部３８は側歯部３５と噛合する。なお、図５中の４０は、ニードル弁２８を強制的に第二の所定の位置（後述）にガイドする為の筒状の点火ガイドである。点火ガイド４０は、操作つまみ１４と前後方向に連動し、非回動となっている。点火ガイド４０については、更に後述する。
【００４１】
次に、操作つまみ１４の回動操作による点火及び消火と火力の調節について説明する。左バーナ５の消火時、操作つまみ１４は、消火位置にある。ユーザが操作つまみ１４を押し込み、操作つまみ１４が押込位置に移動する過程で、安全弁とメイン弁が開放され、イグナイタ（図示略）によって左バーナ５が点火される。ユーザが操作つまみ１４から手を離すと、操作つまみ１４はバネの付勢により操作位置に移動する。安全弁とメイン弁は開放状態に維持される。連結部材２５によって、操作つまみ１４と火力調節カム２６が連結される。
【００４２】
操作つまみ１４が操作位置にある状態で操作つまみ１４が回動操作されると、火力調節カム２６は操作つまみ１４と共に軸心ＡＸの回りを回動する。火力調節カム２６が回動すると、ニードル弁２８のピン２９がカム溝２７に案内されて、前後方向に移動する。これにより、ニードル弁２８が前後方向に移動するので、ニードル弁２８の位置に応じて、第二ガス通路を流通するガスの流量が調節され、左バーナ５の火力が変更される。
【００４３】
ユーザが操作つまみ１４を押し込み、操作つまみ１４が押込位置に移動する過程で、安全弁とメイン弁が閉鎖される。左バーナ５は消火する。ユーザが操作つまみ１４から手を離すと、操作つまみ１４はバネの付勢により消火位置に移動する。安全弁とメイン弁は閉鎖状態に維持される。
【００４４】
このように、燃料供給装置２０は、操作つまみ１４の回動操作に伴い、火力調節カム２６がニードル弁２８を移動することによって、流量調節部３１の第二ガス通路を流通するガスの流量を無段階に調節する。即ち、操作つまみ１４の回動量に応じて、左バーナ５の火力がリニアに変化する。右バーナ４、奥バーナ６に夫々対応する操作つまみ１１、１３についても同様である。ガスコンロ１は、操作つまみ１１、１３、１４の夫々の回動量に応じた火力表示を行うため、前面に設けるパネル装置９Ａ、９Ｂに火力表示機能を備える。
【００４５】
図１に示す様に、ガスコンロ１は、グリル扉８の右側の領域に、右バーナ４とグリル装置の火力表示を行うパネル装置９Ａを備え、グリル扉８の左側の領域に、左バーナ５と奥バーナ６の火力表示を行うパネル装置９Ｂを備える。
【００４６】
ここで、図５乃至図９を参照し、延伸部３７について説明する。延伸部３７は、図６に示す様に、前方に先細りするテーパ形状の第一傾斜カム部３７Ａを略中央部の両側に有する。延伸部３７は、第一傾斜カム部３７Ａの前方端部から前方に延びる舌片３７Ｂを有する。舌片３７Ｂは、図５に示す様に、連結部材２５と点火ガイド４０との間の空間に挿入されている。延伸部３７は、図６に示す様に、延伸部３７の後部の両側に、前後方向に延伸し、左右方向の一方に夫々突出する鍔３７Ｃと、延伸部３７の後部の中央に係止部３７Ｄを有する。鍔３７Ｃは、カム部３６（後述）を火力調節カム２６に装着する時に、カム部３６の係止溝３６Ｂ（後述）にスライドして係止させる為のものである。係止部３７Ｄは、図９に示す様に、後方に向かうにつれ、延伸部３７本体から離れる方向に傾斜するように形成されている。従って、鍔３７Ｃをカム部３６の係止溝３６Ｂにスライドして係止し、更に、カム部３６の係止孔３６Ｃ（後述）に係止部３７Ｄを係止することで、カム部３６は火力調節カム２６に装着可能となる。
【００４７】
延伸部３７は、図７に示す様に、舌片３７Ｂの裏面（連結部材２５と対向する面）に３つの側歯部３５を有する。３つの側歯部３５を有する理由は、操作つまみ１４が必要以上の力で回動された時に、側歯部３５の破損を防止する為である。従って、延伸部３７を形成する素材の強度によっては、側歯部３５は１つであっても良いし、２つであっても良い。もちろん、舌片３７Ｂの前端部に形成可能であるなら４つ以上の側歯部３５を有していても良い。
【００４８】
また、３つの側歯部３５の内で真ん中の側歯部３５の前後方向の長さが他の側歯部３５と比べ、若干長く形成されている。これは、操作つまみ１４を押し込み、操作つまみ１４を操作位置に突出させる過程で、舌片３７Ｂの側歯部３５の前端部と連結部材２５の側歯部３８の後端部とがぶつかり合った状態で安定し、操作つまみ１４が操作位置に突出しないのを防止する為である。舌片３７Ｂの側歯部３５の一部の長さを前後方向に長くすることで、舌片３７Ｂの側歯部３５の前端部と連結部材２５の側歯部３８の後端部とがぶつかり合ったとしても、左右の何れかに滑り易くし、操作つまみ１４を操作位置に確実に突出させることができる。つまり、本実施形態では、３つの側歯部３５の内の真ん中の側歯部３５の前後方向の長さを長くしたが、左右の何れかの側歯部３５の前後方向の長さを長くしても良い。３つの側歯部３５の内で、２つの側歯部３５の前後方向の長さを長くしても良い。しかしながら、舌片３７Ｂの側歯部３５の前端部と連結部材２５の側歯部３８の後端部とがぶつかり合った時の滑り易さの観点から、２つの側歯部３５の前後方向の長さを長くするより、１つの側歯部３５の前後方向の長さを長くする方が好ましい。
【００４９】
各側歯部３８は、図７に示す様に、後方に向かうにつれ先細りするテーパ形状に形成されている。各側歯部３８の後方部分は、図８に示す様に、下方向に向かうにつれ（連結部材２５の外周部に近づくにつれ）先細りするテーパ形状に形成され、図９に示す様に、後方に向かうにつれ、舌片３７Ｂの裏面に近づくように傾斜するように形成されている。
【００５０】
図１０を参照し、点火ガイド４０と第一傾斜カム部３７Ａについて更に説明する。点火ガイド４０は、左右の下部の後側に当接部４０Ａを有する。当接部４０Ａは、操作つまみ１４が弱火方向又は強火方向に回動されている状態で押し込み操作された時に、図１０に示す様に、第一傾斜カム部３７Ａに当接し、第一傾斜カム部３７Ａは、押し力を軸心ＡＸ回りの回動力に変換する。これにより、ニードル弁２８は、強制的に第一の所定の位置に移動する。第一の所定の位置は、強火と中火との間の位置あるいは弱火と中火との間の位置である。点火ガイド４０は、点火ガイド４０の前後方向の長さと同じ長さの略板状に形成された突起部４０Ｂを最上部に有する。突起部４０Ｂは、後述するように、第二傾斜カム部３６Ａと当接する為、十分な強度が確保できるのなら、より短くても良い。
【００５１】
図１１を参照し、連結部材２５の側歯部３８について説明する。側歯部３８は、図１１に示す様に、連結部材２５の後方部に外周に沿って複数形成されている。連結部材２５の外周に沿って複数設けているので、操作つまみ１４がどのような位置に回動していても、操作つまみ１４が操作位置に移動した際に、操作つまみ１４と火力調節カム２６を連結することができる。各側歯部３８は、前方に向かうにつれ、先細りするテーパ形状に形成されている。また、各側歯部３８の前方部分は、軸心ＡＸから離れるにつれ、先細りする形状に形成され、且つ前方に向かうにつれ軸心ＡＸに近づくように傾斜して形成されている。舌片３７Ｂの側歯部３５の一部の長さを変えるかわりに、前後方向の長さが長い側歯部３８と前後方向の長さが短い側歯部３８とが交互に配置されても良い。こうすることで、舌片３７Ｂの側歯部３５の前端部と連結部材２５の側歯部３８の後端部とがぶつかり合った時に、左右の何れかに滑り易くできる。従って、操作つまみ１４を操作位置に確実に突出させることができる。
【００５２】
図１２を参照し、カム部３６について説明する。図１２に示すカム部３６は、左下方向に少し傾けた状態の図である。カム部３６の裏面には第二傾斜カム部３６Ａを有する。第二傾斜カム部３６Ａは、図１２に示す様に、前方右下方向に傾斜するカム部と前方左下方向に傾斜するカム部とから形成されている。第二傾斜カム部３６Ａは、操作つまみ１４が押し操作された時に、点火ガイド４０の突起部４０Ｂと当接し、押し力を軸心ＡＸ回りの回動力に変換する。これにより、ニードル弁２８は強制的に第二の所定の位置に移動する。第二の所定の位置は中火の位置であるのが好ましい。なぜなら、弱火だと点火しない場合が生じ、強火だと安全性に欠けるからである。カム部３６は、後部の左右の下側に係止溝３６Ｂと、後部の中央に係止孔３６Ｃを有する。係止溝３６Ｂと係止孔３６Ｃは、上述したように、カム部３６を火力調節カム２６に装着する為のものである。
【００５３】
上述した様に、操作つまみ１４を押し込み操作した時に、第一傾斜カム部３７Ａは、押し力を軸心ＡＸ回りの回動力に変換し、ニードル弁２８を強制的に第一の所定の位置に移動させる。その後、第二傾斜カム部３６Ａは、押し力を軸心ＡＸ回りの回動力に変換し、ニードル弁２８を強制的に第二の所定の位置に移動させる。この様に、二段階で第二の所定の位置（中火の位置）に移動させるのは、第一傾斜カム部３７Ａのみでニードル弁２８を第二の所定の位置（中火の位置）に移動させようとすると、第一傾斜カム部３７Ａの押し込み方向に対する左右方向の長さ（幅）が大きくなり過ぎるからである。この場合、燃料供給装置２０を左右に平行に並べて配置するのが困難となる。
【００５４】
上記実施形態によれば、燃料供給装置２０は、ニードル弁２８の手前側の端部に設け手前方向に対して垂直且つ下方向に少なくとも延設されたピン２９が挿入され、手前側から奥方向に螺旋状に傾斜しているカム溝２７を有し、回動した際に、ニードル弁２８を手前方向及び奥方向に進退させる火力調節カム２６を備える。燃料供給装置２０は、操作つまみ１４が押し込み操作された際に、押し力を軸心ＡＸ回りの回動力に変換する第二傾斜カム部３６Ａを有し、火力調節カム２６に連動するニードル弁２８が第一の所定の位置となるように進退させるカム部３６を備える。燃料供給装置２０は、操作つまみ１４が操作位置にある状態で、火力調節カム２６と操作つまみ１４を連結し、操作つまみ１４が操作位置から奥方向に進行した状態で、火力調節カム２６と操作つまみ１４との連結を解除させる。これにより、操作つまみ１４が操作位置にある時でのみ、操作つまみ１４の回動に連動して回動しニードル弁２８を前奥方向に進退させる火力調節カム２６と操作つまみ１４を連結する。従って、操作つまみ１４の押し操作に伴い、第二傾斜カム部３６Ａが回動しても、第二傾斜カム部３６Ａは操作つまみ１４と独立して回動する。故に、操作つまみ１４の押し操作時に、操作つまみ１４が回動することを防止できるので、ユーザに違和感を与えないようにできる。
【００５５】
上記説明において、ガスコンロ１は、「ガスコンロ」の一例である。左バーナ５は、「バーナ」の一例である。操作つまみ１４は、「操作つまみ」の一例である。燃料供給装置２０は、「燃料供給装置」の一例である。ガス流路部２２は、「ガス供給部」の一例である。プッシュ・プッシュ機構２４は、「プッシュ・プッシュ機構」の一例である。連結部材２５は、「軸部」の一例である。火力調節カム２６は、「第一カム部」の一例である。カム溝２７は、「傾斜カム溝」の一例である。ニードル弁２８は、「ニードル弁」の一例である。ピン２９は、「ピン」の一例である。流量調節部３１は、「燃料調節部」の一例である。側歯部３５は「舌片側歯部」の一例である。カム部３６は、「第二カム部」の一例である。第二傾斜カム部３６Ａは、「カム部材」の一例である。舌片３７Ｂは、「舌片」の一例である。側歯部３８は「軸部側歯部」の一例である。側歯部３５と側歯部３８は、「連結部」の一例である。点火ガイド４０は、「筒部材」の一例である。
【符号の説明】
【００５６】
１            ガスコンロ
５            左バーナ
１４          操作つまみ
２０          燃料供給装置
２２          ガス流路部
２４          プッシュ・プッシュ機構２４
２５          連結部材
２６          火力調整カム
２７          カム溝
２８          ニードル弁
２９          ピン
３１          流量調節部
３５          側歯部
３６          カム部
３６Ａ        第二傾斜カム部
３７Ｂ        舌片
３８          側歯部
４０          点火ガイド
【図１】
2019044988.tif 000003
【図２】
2019044988.tif 000004
【図３】
2019044988.tif 000005
【図４】
2019044988.tif 000006
【図５】
2019044988.tif 000007
【図６】
2019044988.tif 000008
【図７】
2019044988.tif 000009
【図８】
2019044988.tif 000010
【図９】
2019044988.tif 000011
【図１０】
2019044988.tif 000012
【図１１】
2019044988.tif 000013
【図１２】
2019044988.tif 000014